(57)【要約】【課題】電子時計及びムーブメントにおいて、耐磁板で覆われたステップモータへの磁気の影響を低減する。【解決手段】電子時計１のムーブメント３は、ロータ１３、ステータ１２及び導電線がコイル巻芯１１ａに巻かれたコイル１１を有するステップモータ１０と、ステップモータ１０の少なくとも一部を覆う耐磁板５０と、を有し、耐磁板５０は、コイル巻芯１１ａの両端部１１ｃ，１１ｄからの延長線１６ａ，１６ｂにそれぞれ対応する部分に、延長線１６ａ，１６ｂと交差して形成され、コイル巻芯１１ａに向かう磁気の流れをコイル巻芯１１ａに向かわない方向に変更する磁気流れ変更部であるスリット５１，５２を備えている。【選択図】図２
2019049436.tif 000002
【特許請求の範囲】
【請求項１】
ロータ、ステータ及び導電線がコイル巻芯に巻かれたコイルを有するステップモータと、
前記ステップモータの少なくとも一部を覆う耐磁板と、を有し、
前記耐磁板は、前記コイル巻芯の両端部からの延長線にそれぞれ対応する部分に、前記延長線と交差して形成され、前記コイル巻芯に向かう磁気の流れを前記コイル巻芯に向かわない方向に変更する磁気流れ変更部を備えている電子時計のムーブメント。
【請求項２】
前記磁気流れ変更部が、前記ステータの一部を前記ステータの外側から囲むように延びている請求項１に記載の電子時計のムーブメント。
【請求項３】
前記ステップモータを複数有し、
前記磁気流れ変更部が、前記耐磁板の、複数の前記ステップモータのそれぞれに対応して備えられている請求項１又は２に記載の電子時計のムーブメント。
【請求項４】
前記磁気流れ変更部が、前記耐磁板に施された、厚さ方向に貫通したスリット若しくは孔又は前記厚さ方向の厚さが他の部分に比べて薄く形成された溝若しくは穴である請求項１から３のうちいずれか１項に記載の電子時計のムーブメント。
【請求項５】
前記磁気流れ変更部が前記スリット又は孔であり、
前記耐磁板の外形輪郭よりも内側の領域に対応した範囲の部品が、前記スリット又は孔に配置されている請求項４に記載の電子時計のムーブメント。
【請求項６】
前記耐磁板が、他の部品を支持する部分である支持部を有し、
前記磁気流れ変更部は、前記磁気の流れの向きを、前記支持部に向かうように変更する請求項１から５のいずれか１項に記載の電子時計のムーブメント。
【請求項７】
前記ステップモータを囲むリング状の耐磁板をさらに備え、
前記リング状の耐磁板は、周方向の一部に切欠きを有し、
前記ステップモータは、前記延長線が前記切欠きと前記リング状の中心とを結ぶ方向に略平行となる姿勢で配置されている請求項１から６のうちいずれか１項に電子時計のムーブメント。
【請求項８】
前記リング状の耐磁板は、前記コイル巻芯の両端部からの延長線にそれぞれ対応する部分に形成された２つの前記磁気流れ変更部の外側に配置され、
前記リング状の耐磁板は前記耐磁板に接して配置されている請求項７に記載の電子時計のムーブメント。
【請求項９】
前記ステップモータと前記磁気流れ変更部との間に磁性部材が配置されている請求項１から８のうちいずれか１項に記載の電子時計のムーブメント。
【請求項１０】
請求項１から９のうちいずれか１項に記載のムーブメントをケースの内部に収容した電子時計。
【発明の詳細な説明】
【技術分野】
【０００１】
本発明は、電子時計のムーブメント及び電子時計に関する。
【背景技術】
【０００２】
ステップモータにより指針を駆動する電子時計は、外部磁界からステップモータを保護するための耐磁板をムーブメントに備えている。耐磁板は、一般に、ステップモータを厚さ方向の上下から覆うように形成されている。近年、電子時計は多機能化し、各機能に対応して多数のステップモータが装備されている。しかし、ステップモータごとに耐磁板を設けると耐磁板の数が増えてコストが増加する。
【０００３】
そこで、複数のステップモータを１つの大きな耐磁板で覆うことで、コストの上昇を抑えることが行なわれている（例えば、特許文献１参照）。さらに、耐磁板に、ステップモータ以外の部品を押さえる受板の機能も持たせるように耐磁板を大きくして受板を無くし、コストをさらに低減することも行われている。
【先行技術文献】
【特許文献】
【０００４】
【特許文献１】特開２０１７−０２６４６１号公報
【発明の概要】
【発明が解決しようとする課題】
【０００５】
しかし、耐磁板が、ステップモータ以外の耐磁性能が不要な部品を覆う部分を含むように大きくなると、耐磁板が外部磁界に晒される領域が大きくなるため、耐磁板に流れる磁気が増えるおそれがある。
【０００６】
本発明は上記事情に鑑みなされたものであり、耐磁板で覆われたステップモータへの磁気の影響を低減することができる電子時計のムーブメント及び電子時計を提供することを目的とする。
【課題を解決するための手段】
【０００７】
本発明の第１は、ロータ、ステータ及び導電線がコイル巻芯に巻かれたコイルを有するステップモータと、前記ステップモータの少なくとも一部を覆う耐磁板と、を有し、前記耐磁板は、前記コイル巻芯の両端部からの延長線にそれぞれ対応する部分に、前記延長線と交差して形成され、前記コイル巻芯に向かう磁気の流れを前記コイル巻芯に向かわない方向に変更する磁気流れ変更部を備えている電子時計のムーブメントである。
【０００８】
本発明の第２は、本発明に係る電子時計のムーブメントをケースの内部に収容した電子時計である。
【発明の効果】
【０００９】
本発明に係る電子時計のムーブメント及び電子時計によれば、耐磁板で覆われたステップモータへの磁気の影響を低減することができる。
【図面の簡単な説明】
【００１０】
【図１】本発明に係る電子時計の一実施形態を示し、裏蓋側から、二点鎖線で表したケースを仮想的に透過して実線で表したムーブメントが見えている状態を表す部分透視図である。
【図２】図１に示したムーブメントにおけるステップモータと耐磁板との配置を示す平面図である。
【図３】特定の方向に長い形状で形成されたスリットを示す模式図である。
【図４】図３に示したスリットと同様に機能を発揮する、特定の方向に並んだ複数の円形の孔を示す模式図である。
【図５】変形例１のムーブメントにおけるステップモータと耐磁板との配置を示す平面図である。
【図６】変形例２のムーブメントにおけるステップモータと耐磁板との配置を示す平面図である。
【図７】本発明の他の実施形態である電子時計のムーブメントが２つのステップモータを有するものであるとき、２つのステップモータの配置状態と耐磁板におけるスリットの形成状態とのバリエーション（変形例３）を示す模式図である。
【図８】本発明の他の実施形態である電子時計のムーブメントが２つのステップモータを有するものであるとき、２つのステップモータの配置状態と耐磁板におけるスリットの形成状態とのバリエーション（変形例４）を示す模式図である。
【図９】本発明の他の実施形態である電子時計のムーブメントが２つのステップモータを有するものであるとき、２つのステップモータの配置状態と耐磁板におけるスリットの形成状態とのバリエーション（変形例５）を示す模式図である。
【図１０】本発明の他の実施形態である電子時計のムーブメントが２つのステップモータを有するものであるとき、２つのステップモータの配置状態と耐磁板におけるスリットの形成状態とのバリエーション（変形例６）を示す模式図である。
【図１１】本発明の他の実施形態である電子時計のムーブメントが２つのコイルを備えたステップモータを有するものであるとき、ステップモータの配置状態と耐磁板におけるスリットの形成状態とのバリエーション（変形例７）を示す模式図である。
【図１２】図７における１つのステップモータに代えて、電池（磁性材料の一例）が配置された変形例を示す模式図である。
【発明を実施するための形態】
【００１１】
以下、本発明に係る電子時計のムーブメント及び電子時計の実施形態について、図面を用いて説明する。
【００１２】
＜電子時計の構成＞
図１は、本発明に係る電子時計の一実施形態である電子時計１を示し、裏蓋側から、二点鎖線で表したケース２を仮想的に透過して実線で表したムーブメント３が見えている状態を表す部分透視図である。図１の上方は１２時方向、左方は３時方向である。図２は、図１に示したムーブメント３におけるステップモータ１０と耐磁板５０との配置を示す平面図である。
【００１３】
電子時計１は、金属製のケース２の内部にムーブメント３が収容されている。電子時計１は、電波を受信し、受信した電波に基づいてムーブメント３が時刻指示用の指針を自動的に修正する機能を有する電波修正時計である。また，電子時計１は、太陽電池パネル及び二次電池を備えていて、太陽電池パネルで発電され，二次電池に蓄えられた電力によってムーブメント３を駆動している。
【００１４】
＜ムーブメントの構成＞
ムーブメント３は、本発明に係る電子時計のムーブメントの一実施形態である。ムーブメント３は、二次電池に蓄えられた電力が供給されることで、時刻表示用の指針を回転させる輪列を駆動するステップモータ１０と、電子時計１が有する各種の機能の切り替えや特定の機能の動作のために使用者の操作が入力されるプッシュボタン（ＰＢ）４１，４２と、ＰＢ４１，４２を押したときに、押した操作の反力としての節度感を発生させるＰＢクリックばね３１，３２（図２参照）と、耐磁板５０と、を備えている。
【００１５】
ムーブメント３は、上述した構成の他に、手動で指針の指示位置を修正するための機構やその他の機構及びその他の部材も備えているが、本実施形態の電子時計１の説明上必須ではないため説明を省略する。
【００１６】
ステップモータ１０は、図２に示すように、コイル１１、ステータ１２及びロータ１３を備えている。コイル１１は、直線状に延びたコイル巻芯１１ａに導電線１１ｂが螺旋状に巻き付けられている。ステータ１２は、コイル巻芯１１ａの一方の端部１１ｃと他方の端部１１ｄとにそれぞれ接続されている。そして、ステータ１２の、コイル巻芯１１ａの端部１１ｃに接続された側とは反対側の端部と、コイル巻芯１１ａの端部１１ｄに接続された側とは反対側の端部とは、ロータ１３を挟んで対向するように形成されている。
【００１７】
耐磁板５０は、図２に示すように、平面視でステップモータ１０のコイル１１を除いた全体を覆うように配置されている。ステップモータ１０のコイル１１は、ステータ１２やロータ１３に比べて厚さ方向の寸法が大きい。このため、耐磁板５０は、コイル１１との干渉防止のために、コイル１１を厚さ方向に通す逃げ孔５３が形成されている。
【００１８】
なお、耐磁板５０は、コイル１１をも覆うものでもよいが、ステップモータ１０の全体を覆うものでなくてもよい。具体的には、耐磁板５０は、ロータ１３や、コイル巻芯１１ａの端部１１ｃからコイル巻芯１１ａの延びた方向への延長線１６ａ及びコイル巻芯１１ａの端部１１ｄからコイル巻芯１１ａの延びた方向への延長線１６ｂ上の部分を少なくとも覆うものであればよい。
【００１９】
耐磁板５０は、電子時計１の外部の磁界によって電子時計１の内部に流れ込んだ磁気がステップモータ１０に流れるのを防止又は抑制するものであるため、本来は、ステップモータ１０だけを覆う大きさに形成されていればよい。これに対して、本実施形態の耐磁板５０は、ステップモータ１０に比べて大きなサイズに形成されている。そして、ステップモータ１０を覆う部分以外の部分（耐磁板５０としての機能が要求されない部分）は、輪列やＰＢクリックばね３１，３２等を支持する受板として機能する。
【００２０】
なお、本実施形態のムーブメント３は、１つのステップモータ１０だけを備えているが、２つ以上のステップモータ１０を備えていてもよく、それら２つ以上のステップモータ１０を備えていても、１つの耐磁板５０で２つ以上のステップモータ１０を覆うことができる。したがって、耐磁板５０は、複数のステップモータ１０ごとに設けられる小さいサイズの耐磁板を複数備える場合に比べてコストを低減することができる。
【００２１】
また、耐磁板５０は、ＰＢクリックばね３１，３２等をも支持するため、ＰＢクリックばね３１，３２を支持するための受板を耐磁板５０とは別に備えるものに比べても、コストを低減することができる。
【００２２】
耐磁板５０は、コイル巻芯１１ａの両端部１１ｃ，１１ｄからのコイル巻芯１１ａの長手方向の各延長線１６ａ，１６ｂを覆う部分（延長線に対応する部分）に、各延長線１６ａ，１６ｂと交差したスリット５１，５２が形成されている。これらのスリット５１，５２は、いずれも長手方向（延長線１６ａ，１６ｂに対して交差した方向）の寸法が、コイル巻芯１１ａに導電線１１ｂが巻かれた状態のコイル１１の直径よりも大きい（長さが長い）。また、これらのスリット５１，５２は、幅方向（延長線１６ａ，１６ｂに沿った方向（コイル巻芯１１ａの長手方向））の延長線１６ａ，１６ｂ上での寸法が、コイル巻芯１１ａの直径よりも大きい（幅が広い）。
【００２３】
以上のように構成されたムーブメント３及び電子時計１によると、ステップモータ１０の動作に影響が出やすい外部磁界の方向は、ステップモータ１０のコイル１１の長手方向である。本実施形態における耐磁板５０が、図２に示すように、コイル１１の延長線１６ａの方向からコイル１１に向かう磁気の流れＴ１が生じる外部磁界に晒されたとき、耐磁板５０における磁気の流れＴ１は、コイル１１の直近に形成されたスリット５１によって、コイル１１への流れが阻害される。
【００２４】
そして、その磁気の流れＴ１は、スリット５１により、コイル１１に向かわない方向、具体的にはスリット５１の外側の耐磁板５０の縁部に沿う方向の流れＴ１ａ，Ｔ１ｂに変更される。つまり、スリット５１は、コイル１１に向かう磁気の流れＴ１をコイル１１に向かわない方向に変更する磁気流れ変更部の一例である。
【００２５】
また、本実施形態における耐磁板５０が、図２に示すように、コイル１１の延長線１６ｂの方向からコイル１１に向かう磁気の流れＴ２が生じる外部磁界に晒されたとき、耐磁板５０における磁気の流れＴ２は、コイル１１の直近に形成されたスリット５２によって、コイル１１への流れが阻害される。
【００２６】
そして、その磁気の流れＴ２は、スリット５２により、コイル１１に向かわない方向、具体的にはスリット５２の外側の耐磁板５０の縁部に沿う方向の流れＴ２ａ，Ｔ２ｂに変更される。つまり、スリット５２は、コイル１１に向かう磁気の流れＴ２をコイル１１に向かわない方向に変更する磁気流れ変更部の一例である。
【００２７】
このように、本実施形態の電子時計１のムーブメント３及び電子時計１によれば、耐磁板５０で覆われたステップモータ１０に、最も影響が出易い方向であるコイル１１の長手方向への磁気の流れＴ１，Ｔ２が流れるのを防止又は抑制することができる。これにより、耐磁板５０に覆われたステップモータ１０が、磁気の流れＴ１，Ｔ２の影響を受け難くすることができる。
【００２８】
スリット５１により向きが変化した磁気の流れＴ１ａは、耐磁性が要求されない部品の一例であるＰＢクリックばね３１を支持する部分である支持部５６ａに向かい、スリット５１により向きが変化した磁気の流れＴ１ｂは、ステップモータ１０以外の部品を支持する支持部５６ｂに向かう。したがって、本実施形態のムーブメント３及び電子時計１は、これら磁気の流れＴ１ａ，Ｔ１ｂを受容する部分（磁気の流れＴ１を迂回させる磁気流れ迂回部）を支持部５６ａ，５６ｂとして有効に活用することができる。
【００２９】
同様に、スリット５２により向きが変化した磁気の流れＴ２ａは、耐磁性が要求されない部品の一例であるＰＢクリックばね３２を支持する部分である支持部５６ｃに向かい、スリット５２により向きが変化した磁気の流れＴ２ｂは、ステップモータ１０以外の部品を支持する支持部５６ｄに向かう。したがって、本実施形態のムーブメント３及び電子時計１は、これら磁気の流れＴ２ａ，Ｔ２ｂを受容する部分（磁気の流れＴ２を迂回させる磁気流れ迂回部）を支持部５６ｃ，５６ｄとして有効に活用することができる。
【００３０】
本実施形態の電子時計１のムーブメント３及び電子時計１は、本発明における磁気流れ変更部として、耐磁板５０の厚さ方向に貫通したスリット５１，５２を適用したが、磁気流れ変更部は、特定の方向に長いスリットに限定されるものではない。すなわち、本発明における磁気流れ変更部は、耐磁板５０の厚さ方向に貫通した孔であってもよいし、外形輪郭が内側に切れ込んだ切欠きであってもよい。孔の形状は円形状であってもよいし、矩形状であってもよいし、その他の形状であってもよい。
【００３１】
なお、スリット５１，５２は、図３に示すように、長手方向の寸法をＬとして細長く形成されているが、このような細長いスリット５１，５２に代えて、例えば図４に示すように、スリット５１，５２よりも長手方向の寸法が小さい直径Ｄ（＜Ｌ）の複数の円形の孔５１ａを、間隔５４をあけて一列に並べるように形成してもよい。
【００３２】
一つの長いスリット５１，５２に代えて、複数個の孔５１ａで磁気流れ変更部を形成することにより、間隔５４の部分が耐磁板５０として残るため、一つのスリット５１，５２が形成された耐磁板５０よりも耐磁板５０の強度を高く保つことができる。なお、円形の孔５１ａを並べる数は、一つのスリット５１，５２の長手方向の寸法Ｌに対応する数にすればよい。
【００３３】
スリット５１，５２は、長手方向の任意の位置で、幅方向の寸法が同じである形状に限定されない。幅方向の寸法が、長手方向の位置ごとに異なるものであってもよい。したがって、複数の円形の孔５１ａで代用する場合にも、複数の孔５１ａの直径Ｄは同じであるものでなくてもよい。また、スリット５１，５２は、略Ｉ字状の外形輪郭のものに限定されず、Ｃ字状、Ｌ字状等の異形の外形輪郭を有するものであってもよい。
【００３４】
また、本発明における磁気流れ変更部は、コイル１１の方向へ向かう磁気の流れＴ１，Ｔ２を、コイル１１の方向へ向かわない磁気の流れＴ１ａ，Ｔ１ｂ，Ｔ２ａ，Ｔ２ｂに流れの方向を変えさせればよい。つまり、磁気流れ変更部は、磁気が、コイル１１の方向へ向かうよりもコイル１１の方向とは異なる方向へ向かう方に流れ易くなっていればよい。
したがって、磁気流れ変更部として耐磁板５０の厚さ方向に貫通したスリット５１，５２に代えて厚さ方向の厚さが他の部分に比べて薄く形成された、特定の方向に長い溝を適用してもよいし、耐磁板５０の厚さ方向に貫通した孔に代えて厚さ方向の厚さが他の部分に比べて薄く形成された穴（凹部）を適用してもよい。
【００３５】
本実施形態の電子時計１のムーブメント３及び電子時計１は、スリット５１，５２が、コイル１１の両端部１１ｃ，１１ｄの外側にそれぞれ形成されているが、このように、スリット５１，５２は、コイル１１の両端部１１ｃ，１１ｄの外側に対応して形成されていることが必要である。磁気の流れが一方向に固定されている環境であれば、その流れの方向の磁気にのみ適するように、スリット５１，５２を、コイル１１の一方の端部１１ｃ側または端部１１ｄ側に対応する部分にのみ設けることもできる。
【００３６】
しかし、電子時計１が、携帯されてさまざまな場所に移動される腕時計の場合は、そのように磁気の流れが一方向に固定された環境で用いられることは稀である。したがって、実用上は、耐磁板５０の、コイル１１の両端部１１ｃ，１１ｄの外側にそれぞれ対応する部分に、スリット５１，５２を形成するのが好ましい。
【００３７】
本実施形態におけるスリット５１，５２は、ステータ１２の一部を外側から囲むように、ステータ１２の外形輪郭に沿って延びているため、ステータ１２に対する外部磁界の影響を効果的に排除することができる。ただし、本発明における磁気流れ変更部は、ステータの外形輪郭に沿った形状でなくてもよい。
【００３８】
本実施形態におけるスリット５１，５２は、なお、スリット５１，５２の長手方向の寸法はコイル１１の直径よりも大きく、スリット５１，５２の幅方向の寸法はコイル巻芯１１ａの直径よりも大きいが、本発明における磁気流れ変更部は、長手方向の寸法はコイル１１の直径よりも小さくてもよいし、幅方向の寸法はコイル巻芯１１ａの直径よりも小さくてもよい。
【００３９】
耐磁板５０の支持部５６ａ，…，５６ｄは、ＰＢクリックばね３１，３２を支持する部分に限定されず、ムーブメント３に備えられている他の部品を支持する部分であってもよい。また、支持部５６ａ，…，５６ｄは、部品を支持する部分でなくてもよく、スリット５１，５２によって向きが変えられた磁気の流れＴ１ａ，Ｔ１ｂ，Ｔ２ａ，Ｔ２ｂを受容する部分として機能すればよい。
【００４０】
なお、ムーブメントが複数のステップモータを有する場合は、駆動頻度が最も低いステップモータを覆っている部分を、支持部として磁気の流れを逃がす部分としてもよい。
【００４１】
＜変形例１＞
図５は、本発明の他の実施形態（変形例１）である電子時計１０１のムーブメント１０３におけるステップモータ１１０，１２０と耐磁板１５０との配置を示す平面図である。図示の電子時計１０１は、ムーブメント１０３が異なる以外は、図１に示した電子時計１と基本的な構成は同じである。
【００４２】
ムーブメント１０３は、ムーブメント３と異なり、２つのステップモータ１１０，１２０を有し、耐磁板１５０は１枚で、これら２つのステップモータ１１０，１２０を覆う。
【００４３】
耐磁板１５０には、ステップモータ１１０のコイル１１１を逃げる逃げ孔１５３、ステップモータ１２０のコイル１２１を逃げる逃げ孔１５６の他に、コイル１１１のコイル巻芯１１１ａの両端部１１１ｃ，１１１ｄからコイル巻芯１１１ａの長手方向の各延長線１１６ａ，１１６ｂを覆う部分（延長線に対応する部分）に、各延長線１１６ａ，１１６ｂと交差した孔１５１，１５２が形成されている。
【００４４】
同様に、耐磁板１５０には、コイル１２１のコイル巻芯１２１ａの両端部１２１ｃ，１２１ｄからコイル巻芯１２１ａの長手方向の各延長線１２６ａ，１２６ｂを覆う部分（延長線に対応する部分）に、各延長線１２６ａ，１２６ｂと交差した孔１５４，１５５が形成されている。
【００４５】
このように構成されたムーブメント１０３及び電子時計１０１によっても、コイル１１１の延長線１１６ａ，１１６ｂの方向からコイル１１１に向かう磁気の流れＴ１，Ｔ２が生じる外部磁界に晒されたとき、耐磁板１５０における磁気の流れＴ１，Ｔ２は、コイル１１１の直近に形成された矩形の孔１５１や円形の孔１５２によって、コイル１１１への流れが阻害され、コイル１１１に向かわない方向の流れＴ１ａ，Ｔ１ｂ，Ｔ２ａ，Ｔ２ｂに変更される。
【００４６】
耐磁板１５０は、そのようなコイル１１１に向かわない方向の流れＴ１ａ，Ｔ１ｂ，Ｔ２ａ，Ｔ２ｂを受容する部分として、ステップモータ１１０，１２０以外の他の部品を支持する支持部１５７ａ，１５７ｂ，１５７ｃ，１５７ｄ（支持部は、実際に具体的な部品を支持していなくてもよく、部品を支持し得る領域を有する部分であればよい。）を備えているが、これら磁気の流れＴ１ａ，Ｔ１ｂ，Ｔ２ａ，Ｔ２ｂを受容する部分を支持部１５７ａ，１５７ｂ，１５７ｃ，１５７ｄとして有効に活用することができる。
【００４７】
同様に、コイル１２１の延長線１２６ａ，１２６ｂの方向からコイル１２１に向かう磁気の流れＴ３，Ｔ４が生じる外部磁界に晒されたとき、耐磁板１５０における磁気の流れＴ３，Ｔ４は、コイル１２１の直近に形成された矩形の孔１５４，１５５によって、コイル１２１への流れが阻害され、コイル１２１に向かわない方向の流れＴ３ａ，Ｔ３ｂ，Ｔ４ａ，Ｔ４ｂに変更される。
【００４８】
耐磁板１５０は、そのようなコイルに向かわない方向の流れＴ３ａ，Ｔ３ｂ，Ｔ４ａ，Ｔ４ｂを受容する部分として、ステップモータ１１０，１２０以外の他の部品を支持する支持部１５７ｅ，１５７ｆ，１５７ｇ，１５７ｈ（支持部は、実際に具体的な部品を支持していなくてもよく、部品を支持し得る部分であればよい。）を備えている。
【００４９】
このように、電子時計１０１のムーブメント１０３及び電子時計１０１によれば、耐磁板１５０で覆われたステップモータ１１０に、最も影響が出易い方向であるコイル１１１の長手方向への磁気の流れＴ１，Ｔ２が流れるのを防止又は抑制し、耐磁板１５０で覆われたステップモータ１２０に、最も影響が出易い方向であるコイル１２１の長手方向への磁気の流れＴ３，Ｔ４が流れるのを防止又は抑制することができる。これにより、耐磁板１５０に覆われたステップモータ１１０が、磁気の流れＴ１，Ｔ２の影響を受け難くし、耐磁板１５０に覆われたステップモータ１２０が、磁気の流れＴ３，Ｔ４の影響を受け難くすることができる。
【００５０】
また、電子時計１０１のムーブメント１０３及び電子時計１０１によれば、１枚の耐磁板１５０によって２つのステップモータ１１０，１２０を覆うため、１枚の耐磁板で１つのステップモータをそれぞれ独立して覆うために２枚の耐磁板を用いる場合に比べて、コストを下げることができる。
【００５１】
また、各ステップモータ１１０，１２０に対応して、それぞれ磁気流れ変更部として機能する孔１５１，１５２，１５４，１５５が耐磁板１５０に形成されているため、複数のステップモータ１１０，１２０の全てについて、外部磁界の影響を抑制することができる。
【００５２】
なお、ムーブメント１０３は、磁気流れ変更部として機能する孔１５２には、耐磁板１５０の外形輪郭よりも内側領域に対応した範囲に配置された他の部品１０４（例えば、アラーム用の導通ばね）を配置してもよい。このように、孔１５２に他の部品１０４を配置する構成により、孔１５２を磁気流れ変更部としてのみに用いる場合に比べて、スペースの有効利用を図ることができる。
【００５３】
＜変形例２＞
図６は、本発明の他の実施形態（変形例２）である電子時計２０１のムーブメント２０３におけるステップモータ２１０と耐磁板２５０との配置を示す平面図である。図示の電子時計２０１は、ムーブメント２０３が異なる以外は、図１に示した電子時計１と基本的な構成は同じである。
【００５４】
ムーブメント２０３は、ムーブメント３と異なり、ステップモータ２１０を覆う耐磁板２５０が、ムーブメント２０３の外周部分を覆うリング状の耐磁板（以下、リング状耐磁板）２５０ａと、リング状耐磁板２５０ａも含めて、ムーブメント２０３の全体を覆う板状の耐磁板（以下、板状耐磁板）２５０ｂとによって構成されている。
【００５５】
リング状耐磁板２５０ａは、ムーブメント２０３の外形に沿うように形成されている。リング状耐磁板２５０ａはリングの一部（時計２０１の例えば３時の位置）が切り欠かれている。この切り欠かれた部分（切欠き）２５０ａ１に対応した部分（切欠き２５０ａ１と平面視で重なる部分）には、リング状耐磁板２５０ａの外側から、ムーブメント２０３の中心Ｃ（リング状耐磁板２５０ａのリングの中心）に向かう方向に延びて、リング状耐磁板２５０ａの内側まで貫通した巻真２０５が配置されている。
【００５６】
リング状耐磁板２５０ａは、厚さ方向には、ステップモータ２１０と重ならないが、ムーブメント２０３の半径方向の外側から囲んで配置され、ムーブメント２０３の外部磁界に対してはムーブメント２０３に対する磁気の流れを遮蔽する機能を発揮する。したがって、リング状耐磁板２５０ａは、ステップモータ２１０や後述する板状耐磁板２５０ｂに形成された２つのスリット２５１，２５２の外側に配置されている。一方、板状耐磁板２５０ｂは、厚さ方向に、ステップモータ２１０と重なってステップモータ２１０を覆っている。また、板状耐磁板２５０ｂは、厚さ方向に、巻真２０５にも重なって、巻真２０５も覆っている。
【００５７】
板状耐磁板２５０ｂは、本来は、この板状耐磁板２５０ｂの上面に配置されるフィルム状のソーラーセルを支持する受板であるが、この受板を、耐磁板としても機能させたものである。そして、板状耐磁板２５０ｂは、ステップモータ２１０のコイル２１１のコイル巻芯２１１ａの両端部２１１ｃ，２１１ｄからコイル巻芯２１１ａの長手方向の各延長線２１６ａ，２１６ｂを覆う部分（延長線に対応する部分）に、各延長線２１６ａ，２１６ｂと交差したスリット２５１，２５２が形成されている。リング状耐磁板２５０ａと板状耐磁板２５０ｂとは、厚さ方向に、図示を略した地板を挟んで配置されている。なお、リング状耐磁板２５０ａと板状耐磁板２５０ｂとは接して配置されてもよい。
【００５８】
このように構成されたムーブメント２０３及び電子時計２０１によっても、コイル２１１の延長線２１６ａ，２１６ｂの方向からコイル２１１に向かう磁気の流れＴ１，Ｔ２が生じる外部磁界に晒されたとき、板状耐磁板２５０ｂにおける磁気の流れＴ１，Ｔ２は、コイル２１１の直近に形成されたスリット２５１，２５２によって、コイル２１１への流れが阻害され、コイル２１１に向かわない方向の流れＴ１ａ，Ｔ１ｂ，Ｔ２ａ，Ｔ２ｂに変更される。
【００５９】
板状耐磁板２５０ｂは、そのようなコイル２１１に向かわない方向の流れＴ１ａ，Ｔ１ｂ，Ｔ２ａ，Ｔ２ｂを受容する部分として、ステップモータ２１０以外の他の部品を支持する支持部２５７ａ，２５７ｂを備えているが、これら磁気の流れＴ１ａ，Ｔ１ｂ，Ｔ２ａ，Ｔ２ｂ，を受容する部分を支持部２５７ａ，２５７ｂとして有効に活用することができる。
【００６０】
このように、電子時計２０１のムーブメント２０３及び電子時計２０１によれば、板状耐磁板２５０ｂで覆われたステップモータ２１０に、最も影響が出易い方向であるコイル２１１の長手方向への磁気の流れＴ１，Ｔ２が流れるのを防止又は抑制することができる。これにより、板状耐磁板２５０ｂに覆われたステップモータ２１０が、磁気の流れＴ１，Ｔ２の影響を受け難くすることができる。
【００６１】
なお、電子時計２０１は、コイル巻芯２１１ａの延長線２１６ａ，２１６ｂが、巻真２０５を通すために周方向の一部に形成されたリング状耐磁板２５０ａの切欠き２５０ａ１の方向（切欠き２５０ａ１とリング状耐磁板２５０ａのリングの中心Ｃとを結ぶ方向）と平行又は略平行（以下、単に略平行という。）になる姿勢でステップモータ２１０が配置された構成となっている。このように、ステップモータ２１０の配置を、コイル巻芯２１１ａの延長線２１６ａ，２１６ｂがリング状耐磁板２５０ａの切欠き２５０ａ１の方向と略平行になる姿勢とすることにより、リング状耐磁板２５０ａ及び板状耐磁板２５０ｂによるステップモータ２１０への耐磁性能を一層向上させることができる。
【００６２】
すなわち、図６に示すように、外部磁界によるコイル巻芯２１１ａに略平行な磁気の流れＴ１は、板状耐磁板２５０ｂの他にリング状耐磁板２５０ａにも流れる。具体的には、磁気の流れＴ１の一部は、リング状耐磁板２５０ａの、切欠き２５０ａ１を挟んで対向する各端部２５０ａ２，２５０ａ３からそれぞれリング状耐磁板２５０ａの内部に誘導される。端部２５０ａ２からリング状耐磁板２５０ａの内部に誘導された磁気の流れＴ１１ａは、時計回りにリング状耐磁板２５０ａの内部を流れ、端部２５０ａ３からリング状耐磁板２５０ａの内部に誘導された磁気の流れＴ１１ｂは、反時計回りにリング状耐磁板２５０ａの内部を流れる。
【００６３】
したがって、コイル巻芯２１１ａに略平行な磁気の流れＴ１は、板状耐磁板２５０ｂに誘導された分は、スリット２５１，２５２によってコイル巻芯２１１ａから遠ざけられ、板状耐磁板２５０ｂに誘導されなかった分も、リング状耐磁板２５０ａに誘導されて、コイル巻芯２１１ａから遠ざけられる。これにより、電子時計２０１のムーブメント２０３及び電子時計２０１によれば、コイル巻芯２１１ａに略平行な磁気の流れＴ１に対して、ステップモータ２１０への耐磁性能を一層向上させることができる。
【００６４】
一方、仮に、リング状耐磁板２５０ａの切欠き２５０ａ１の方向が、コイル巻芯２１１ａの延長線２１６ａ，２１６ｂに略直交する姿勢でステップモータ２１０が配置されている場合（図６において、リング状耐磁板２５０ａの切欠き２５０ａ１が、１２時の位置（図示の上側）又は６時の位置（図示の下側）に形成されている場合）、磁気の流れＴ１の一部は、リング状耐磁板２５０ａの内部に誘導されて、リング状耐磁板の２５０ａの内部で時計回り方向の流れＴ１１ａ及び反時計回り方向の流れＴ１１ｂとなる。
【００６５】
しかし、１２時の位置に切欠き２５０ａ１が形成されている場合は、時計回り方向の磁気の流れＴ１１ａが切欠き２５０ａ１によって阻害され、切欠き２５０ａ１から板状耐磁板２５０ｂに流れて、コイル巻芯２１１ａに向かう磁気の流れとなり、コイル巻芯２１１ａに影響を与える可能性がある。また、６時の位置に切欠き２５０ａ１が形成されている場合は、反時計回り方向の磁気の流れＴ１１ｂが切欠き２５０ａ１によって阻害され、切欠き２５０ａ１から板状耐磁板２５０ｂに流れて、コイル巻芯２１１ａに向かう磁気の流れとなり、コイル巻芯２１１ａに影響を与える可能性がある。なお、磁気の流れＴ１と向きが反対の磁気の流れＴ２についても、上述した磁気の流れＴ１の場合と同様の作用となる。
【００６６】
以上、詳細に説明したように、ステップモータ２１０の配置を、コイル巻芯２１１ａの延長線２１６ａ，２１６ｂがリング状耐磁板２５０ａの切欠き２５０ａ１の方向と略平行になる姿勢とすることにより、ステップモータ２１０の配置を、コイル巻芯２１１ａの延長線２１６ａ，２１６ｂがリング状耐磁板２５０ａの切欠き２５０ａ１の方向と略平行にしない姿勢（例えば、ステップモータ２１０の配置を、コイル巻芯２１１ａの延長線２１６ａ，２１６ｂがリング状耐磁板２５０ａの切欠き２５０ａ１の方向と略直交する姿勢）としたものに比べて、リング状耐磁板２５０ａ及び板状耐磁板２５０ｂによるステップモータ２１０への耐磁性能を一層向上させることができる。
【００６７】
なお、本発明に係る電子時計及びムーブメントは、上述した実施形態のように、ステップモータの配置を、コイル巻芯の延長線がリング状耐磁板の切欠きの方向と平行になる姿勢のものに限定されない。
【００６８】
＜その他の変形例＞
図７，８，９，１０，１１は、本発明の他の実施形態である電子時計のムーブメントが２つのステップモータ３１０，３２０を有するものであるとき、２つのステップモータ３１０，３２０の配置状態と耐磁板３５０におけるスリット３５１，３５２，３５３の形成状態とのバリエーション（変形例３−７）を示す模式図である。
【００６９】
２つのステップモータ３１０，３２０が、それぞれのコイル３１１，３２１が概略平行に並ぶ配置の場合（図７，８，９）は、耐磁板３５０の磁気流れ変更部としてのスリット３５１，３５２が、図７，８に示すように、２つのコイル３１１，３２１にそれぞれ共用されるように形成したり、図９に示すように、２つのコイル３１１，３２１の間のスリット３５２だけを共用されるように形成したりすることができる。
【００７０】
具体的には、図７，８に示すように、スリット３５１が、ステップモータ３１０のコイル３１１の長手方向の延長線３１６ａ及びステップモータ３２０のコイル３２１の長手方向の延長線３２６ａに交差するように形成され、スリット３５２が、ステップモータ３１０のコイル３１１の長手方向の延長線３１６ｂ及びステップモータ３２０のコイル３２１の長手方向の延長線３２６ｂに交差するように形成されていればよい。
【００７１】
また、図９に示すように、スリット３５１が、ステップモータ３１０のコイル３１１の長手方向の延長線３１６ａに交差するように形成され、スリット３５２が、ステップモータ３１０のコイル３１１の長手方向の延長線３１６ｂ及びステップモータ３２０のコイル３２１の長手方向の延長線３２６ａに交差するように形成され、スリット３５３が、ステップモータ３２０のコイル３２１の長手方向の延長線３２６ｂに交差するように形成されていればよい。
【００７２】
一方、２つのステップモータ３１０，３２０が、コイル３１１，３２１同士が概略直交するように並ぶ配置の場合（図１０）は、それぞれのステップモータ３１０，３２０ごとに２つのスリットが形成される。具体的には、スリット３５１が、ステップモータ３１０のコイル３１１の長手方向の延長線３１６ａに交差するように形成され、スリット３５２が、ステップモータ３１０のコイル３１１の長手方向の延長線３１６ｂに交差するように形成され、スリット３５３が、ステップモータ３２０のコイル３２１の長手方向の延長線３２６ａに交差するように形成され、スリット３５４が、ステップモータ３２０のコイル３２１の長手方向の延長線３２６ｂに交差するように形成される。
【００７３】
ただし、ステップモータ３２０のコイル３２１の長手方向の延長線３２６ｂが、ステップモータ３１０のコイル３１１に交差する配置の場合、耐磁板３５０には、コイル３１１を通す逃げ孔が形成されるため、この逃げ孔をスリット３５４とすることができる。
【００７４】
なお、図１１に示すように、ステップモータ３１０が２つのコイル３１１Ａ，３１１Ｂを有するものであるときは、スリット３５１が、コイル３１１Ａの長手方向の延長線３１６ａ及びコイル３１１Ｂの長手方向の延長線３１６ｃに交差するように形成され、スリット３５２が、コイル３１１Ａの長手方向の延長線３１６ｂ及びコイル３１１Ｂの長手方向の延長線３１６ｄに交差するように形成されていればよい。
【００７５】
また、ステップモータに隣接して、磁性部材、特に電池等の大型磁性部材が配置されている構成の場合、この大型磁性部材の、ステップモータと隣接する側とは反対の近接部分に対応して、磁気流れ変更部（スリット等）を設けてもよい。この磁気流れ変更部が、大型磁性部材による外部磁気の誘導を防ぐことができ、隣接するステップモータに、大型磁性部材の誘導による外部磁気が流れるのを防ぐことができる。
【００７６】
例えば図７に示す構成で、ステップモータ３２０に代えて電池３８０が配置されている構成（図１２参照）の場合、その電池３８０の図示右側のスリット３５２が、電池３８０による外部磁気の誘導を防ぐ磁気流れ変更部として機能する。この構成は、ステップモータ３２０とスリット３５２との間に、電池３８０が配置されているという例である。
【符号の説明】
【００７７】
１        電子時計
３        ムーブメント
１０      ステップモータ
１１      コイル
１１ａ    コイル巻芯
１１ｂ    導電線
１１ｃ，１１ｄ    端部
１６ａ，１６ｂ  延長線
３１，３２      ＰＢクリックばね
５０      耐磁板
５１，５２      スリット
５６ａ，５６ｂ，５６ｃ，５６ｄ    支持部
【図１】
2019049436.tif 000003
【図２】
2019049436.tif 000004
【図３】
2019049436.tif 000005
【図４】
2019049436.tif 000006
【図５】
2019049436.tif 000007
【図６】
2019049436.tif 000008
【図７】
2019049436.tif 000009
【図８】
2019049436.tif 000010
【図９】
2019049436.tif 000011
【図１０】
2019049436.tif 000012
【図１１】
2019049436.tif 000013
【図１２】
2019049436.tif 000014